(57)【要約】【課題】特賞状態を呈するパチンコゲーム機に対する釘調整の適否を、パチンコゲーム機についての稼働データに基づいて容易且つ的確に判断できるようにする。【解決手段】遊技場のデータ管理装置は、所定の条件が成立したときに入賞率を極端に高めた特賞状態を呈する複数台のパチンコゲーム機１０と、パチンコゲーム機が特賞状態であることを判定する遊技状態判定手段１０ｂと、特賞状態にある旨の判定が行われたパチンコゲーム機についてその特賞状態にある期間中に打ち込まれたアウト玉数と賞球として放出されたセーフ玉数とアウト玉数とセーフ玉数の差からなる差玉数を特賞状態毎に集計して特賞データとして蓄積するデータ集計蓄積手段２１と、データ集計蓄積手段に蓄積された特賞データを出力する出力手段２９とを備える。データ集計蓄積手段は、蓄積された複数の特賞データをセーフ玉数又は差玉数に基づいて編集可能に構成される。【選択図】  図１
2007130271.tif 000002
【特許請求の範囲】
【請求項１】
遊技に伴い所定の条件が成立したときに入賞率を極端に高めた特賞状態を呈する複数台のパチンコゲーム機(10)と、前記パチンコゲーム機(10)が特賞状態であることを判定する遊技状態判定手段(10b)と、前記遊技状態判定手段(10b)により特賞状態にある旨の判定が行われた前記パチンコゲーム機(10)についてその特賞状態にある期間中に打ち込まれたパチンコ玉の数を示すアウト玉数と賞球として放出されたパチンコ玉の数を示すセーフ玉数と前記アウト玉数と前記セーフ玉数の差からなる差玉数を特賞状態毎に集計して特賞データとして蓄積するデータ集計蓄積手段(21)と、前記データ集計蓄積手段(21)に蓄積された複数の特賞データを出力する出力手段(29)とを備えた遊技場のデータ管理装置において、
前記データ集計蓄積手段(21)は、蓄積された前記複数の特賞データを前記セーフ玉数又は前記差玉数に基づいて編集可能に構成されたことを特徴とする遊技場のデータ管理装置。
【請求項２】
複数の特賞データの編集が、セーフ玉数又は差玉数が第１基準数以上の上位グループ、前記セーフ玉数又は前記差玉数が前記第１基準数より小さい値の第２基準数未満の下位グループ又は前記セーフ玉数又は前記差玉数が前記第１基準数未満であってかつ前記第２基準数以上の中位グループのいずれかに前記複数の特賞データをそれぞれ分類することにより行われ、
出力手段(29)は前記複数の特賞データを上位グループ、下位グループ又は中位グループのいずれかに分類された状態で出力可能に構成された請求項１記載の遊技場のデータ管理装置。
【発明の詳細な説明】
【技術分野】
【０００１】
本発明は、遊技に伴い所定の条件が成立したときに入賞率を極端に高めた特賞状態を呈する複数台のパチンコゲーム機におけるデータを集計対象とする遊技場のデータ管理装置に関するものである。
【背景技術】
【０００２】
従来、パチンコホール等の遊技場では、複数台のパチンコゲーム機個々のアウト玉数（打込パチンコ玉数）、セーフ玉数（賞球として放出されたパチンコ玉数）、それらの差玉数、出玉率などの遊技データを、パチンコゲーム機の管理用データとして順次集計演算する集中管理コンピュータがデータ管理装置として設けられる。そのデータ管理装置は、各パチンコゲーム機から出力されるアウト玉数信号及びセーフ玉数信号に基づいて上記のような遊技データの集計演算を行う共に、その遊技データをプリンタなどを通じて選択的に出力できるようになっており、出力された遊技データをパチンコゲーム機の釘調整などに利用している。そして、一日の営業終了後において実際の出玉率や差玉数のデータを算出してそれらが目標値通りであったか否かを分析・検証することにより、釘調整の有効性を確認するようにしている。
【０００３】
一方、近年においては、遊技に伴い所定の条件が成立したときに入賞率を極端に高めた特賞状態を呈するパチンコゲーム機が普及しつつある。この種のパチンコゲーム機は、一般的には、パチンコ玉が始動口へ入賞したときに動作される例えば３桁程度の数字が表示される特賞用ルーレットを備え、この特賞用ルーレットが動作停止したときの各桁の数字の組み合わせが所定の大当たりパターンとなったときに特賞状態になるように構成される。このようなパチンコゲーム機にあっては、出玉率の変動が従来のパチンコゲーム機に比べて激しいものになるという事情がある。このため、上記のようなパチンコゲーム機に関する前述のような遊技データを釘調整に利用するためには、パチンコゲーム機が特賞状態における遊技データを把握できることが望ましい。そこで、遊技に伴い所定の条件が成立したときに入賞率を極端に高めた特賞状態を呈するパチンコゲーム機を集計対象とし、そのパチンコゲーム機が特賞状態であるか否かを判定する遊技状態判定手段と、この遊技状態判定手段により特賞状態である旨の判定が行われたパチンコゲーム機について、その特賞状態にある期間中におけるアウト玉数、セーフ玉数、差玉数及び出玉率に係る遊技データを集計するデータ集計手段と、このデータ集計手段の集計結果を出力する出力手段とを備えたデータ集計装置が提案されている（例えば、特許文献１参照。）。
【０００４】
このデータ集計装置によれば、パチンコゲーム機が、特賞状態となったときには、その旨が遊技状態判定手段によって判定され、特賞状態である旨の判定が行われたパチンコゲーム機が発生したときには、データ集計手段が、そのパチンコゲーム機について、特賞状態にある期間中におけるアウト玉数、セーフ玉数、差玉数及び出玉率に係る遊技データを集計する。そして、データ集計手段が集計した結果を出力手段が出力するので、出力手段からは、パチンコゲーム機が特賞状態にある期間における遊技データが集計された結果が出力され、その特賞状態における遊技データはパチンコゲーム機の釘調整などに有効利用できるとしている。
【特許文献１】特開平８−９８９４４号公報（［要約］）
【発明の開示】
【発明が解決しようとする課題】
【０００５】
しかし、近年では、パチンコゲーム機の更なるゲーム性を高めるために、賞球として放出されるパチンコ玉の数を特賞状態毎に変化させる機種が出現している。このようなパチンコゲーム機にあっては、特賞状態毎に集計された遊技データを出力しても、特賞状態毎に賞球として放出されるパチンコ玉の数が異なるので、放出されたパチンコ玉が少ない特賞状態や特賞状態全体の平均値を基準に釘調整すると、１日の営業時間帯に生じた全ての特賞状態で放出されたパチンコ玉は増加する傾向になる。逆に、放出されたパチンコ玉が最も多い特賞状態を基準に釘調整すると、１日の営業時間帯に生じた全ての特賞状態で放出されたパチンコ玉は減少する傾向となる。このため、出力された遊技データのいずれの特賞状態を基準として釘調整を行って良いかの判断が困難となる未だ解決すべき課題が残存していた。
本発明の目的は、賞球として放出されるパチンコ玉の数を特賞状態毎に変化させるパチンコゲーム機であっても、その釘調整の適否を容易且つ的確に判断し得る遊技場のデータ管理装置を提供することにある。
【課題を解決するための手段】
【０００６】
請求項１に係る発明は、図１に示すように、遊技に伴い所定の条件が成立したときに入賞率を極端に高めた特賞状態を呈する複数台のパチンコゲーム機１０と、パチンコゲーム機１０が特賞状態であることを判定する遊技状態判定手段１０ｂと、遊技状態判定手段１０ｂにより特賞状態にある旨の判定が行われたパチンコゲーム機１０についてその特賞状態にある期間中に打ち込まれたパチンコ玉の数を示すアウト玉数と賞球として放出されたパチンコ玉の数を示すセーフ玉数とアウト玉数とセーフ玉数の差からなる差玉数を特賞状態毎に集計して特賞データとして蓄積するデータ集計蓄積手段２１と、データ集計蓄積手段２１に蓄積された複数の特賞データを出力する出力手段２９とを備えた遊技場のデータ管理装置の改良である。
その特徴ある構成は、データ集計蓄積手段２１は、蓄積された複数の特賞データをセーフ玉数又は差玉数に基づいて編集可能に構成されたところにある。
この請求項１に記載された遊技場のデータ管理装置では、セーフ玉数又は差玉数に基づいて編集された特賞データを得ることができ、賞球として放出されるパチンコ玉の数を特賞状態毎に変化させるように構成されたパチンコゲーム機１０であっても、そのパチンコゲーム機１０における特賞状態が分類されて整理されるので、そのパチンコゲーム機１０に対する現実の出玉数に応じて的確に釘調整を行うことができる。
【０００７】
請求項２に係る発明は、請求項１に係る発明であって、複数の特賞データの編集が、セーフ玉数又は差玉数が第１基準数以上の上位グループ、セーフ玉数又は差玉数が第１基準数より小さい値の第２基準数未満の下位グループ又はセーフ玉数又は差玉数が第１基準数未満であってかつ第２基準数以上の中位グループのいずれかに複数の特賞データをそれぞれ分類することにより行われ、出力手段２９は複数の特賞データを上位グループ、下位グループ又は中位グループのいずれかに分類された状態で出力可能に構成されたことを特徴とする。
この請求項２に記載された遊技場のデータ管理装置では、複数の特賞データを３つのグループに分類して出力することができ、賞球として放出されるパチンコ玉の数を特賞状態毎に変化させるように構成されたパチンコゲーム機１０であっても、そのパチンコゲーム機１０における特賞状態を比較的詳細に整理することができ、そのパチンコゲーム機１０に対する現実の出玉数に応じてより一層的確に釘調整を行うことができる。
【発明の効果】
【０００８】
本発明の遊技場のデータ管理装置では、データ集計蓄積手段が蓄積された複数の特賞データをセーフ玉数又は差玉数に基づいて編集可能に構成したので、セーフ玉数又は差玉数に基づいて編集された特賞データを得ることにより、賞球として放出されるパチンコ玉の数を特賞状態毎に変化させるように構成されたパチンコゲーム機であっても、そのパチンコゲーム機における特賞状態が分類されて整理され、そのパチンコゲーム機に対する現実の出玉数に応じて的確に釘調整を行うことができる。
この場合、複数の特賞データの編集が、セーフ玉数又は差玉数が第１基準数以上の上位グループ、セーフ玉数又は差玉数が第１基準数より小さい値の第２基準数未満の下位グループ又はセーフ玉数又は差玉数が第１基準数未満であってかつ第２基準数以上の中位グループのいずれかに複数の特賞データをそれぞれ分類することにより行われ、出力手段は複数の特賞データを上位グループ、下位グループ又は中位グループのいずれかに分類された状態で出力可能に構成すれば、そのパチンコゲーム機における特賞状態を比較的詳細に整理することができ、そのパチンコゲーム機に対する現実の出玉数に応じてより一層的確に釘調整を行うことができる。
【発明を実施するための最良の形態】
【０００９】
次に本発明を実施するための最良の形態を図面に基づいて説明する。
図１に示すように、遊技場内には、この実施の形態においてデータ集計対象とするパチンコゲーム機１０と、このゲーム機１０で使用するパチンコ玉を貸し出す遊技媒体貸出装置１１とが複数並設された遊技島９が複数列設置される。図２に詳しく示すように、遊技媒体貸出装置１１は、硬貨投入口１１ａから投入された硬貨の枚数に応じてパチンコ玉をその下部に設けられた排出口１１ｂから排出するように構成される。また、パチンコゲーム機１０は、遊技者によって発射されたパチンコ球が移動してゲームを進行させるための各種部品が取り付けられた遊技盤１２を前面ガラスの内側に備え、その下方正面に、パチンコ球の受け皿１３や、遊技者がパチンコ球の打ち出し操作するためのハンドル１４等を備える。
【００１０】
遊技盤１２には、発射されたパチンコ球を遊技盤１２と前面ガラスの間の遊技領域へ導くための誘導レール１５と、遊技領域を流下するパチンコ球の流れに変化を与える図示しない多数の釘や風車が配置される。遊技領域の中央には、液晶ディスプレイ等で構成された特賞用ルーレット１６があり、さらにその下方に始動口１７が設けられ、この始動口１７の更に下方には特賞入賞口１８が配置される。また、遊技領域には各種の入賞口１２ａが設けられ、遊技盤１２の最下部には何れの入賞口１２ａや始動口１７及び特賞入賞口１８にも入らず落下したパチンコ球をゲーム機１０外に排出するためのアウト口１９が設けられる。始動口１７や特賞入賞口１８又は通常の入賞口１２ａにパチンコ球が入賞すると所定数のパチンコ球が賞として受け皿１３に払い出されるように構成される。そして、始動口１７に入賞する場合にパチンコ球が流下する流下経路およびその近傍の釘の向きや間隔を調整することで、始動口１７等へのパチンコ球の入賞し易さが調整される。
【００１１】
特賞用ルーレット１６は３桁の数字を表示可能に構成され（図２では、「７」という数字が３個並んで表示されている場合を示す。）、各パチンコゲーム機１０毎に設けられた図示しないマイクロコンピュータによりその動作が制御される。そして、始動口１７にパチンコ玉が入賞するとそれぞれの数字がランダムに変動する動作が開始され、その後の所定時間が経過したときにその動作が停止するように制御される。パチンコゲーム機１０は、特賞用ルーレット１６の動作が停止した段階で所定の確率（例えば１／１００）に設定された特賞条件、例えば、上記のような動作停止時において各桁の数字が「１１１」、「２２２」、「３３３」、…のように揃ったような条件が成立したときに特賞状態を呈するように構成される。そして、パチンコゲーム機１０が特賞状態になると、特賞入賞口１８が所定期間ずつ複数回開閉動作してその特賞入賞口１８を開放するものであり、これに伴いパチンコゲーム機１０での出玉率を極端に高くするように構成される。
【００１２】
また、この実施の形態におけるパチンコゲーム機１０は特賞状態とは別にボーナスモード状態を呈するように構成される。このボーナスモード状態は、特賞状態の発生時において、成立した特賞条件が予め定めた特定の状態であった場合に発生し、具体的には、特賞用ルーレット１６が例えば「１２３」、「４５６」という特定の組み合わせを表示する状態であった場合に発生し、このようなボーナスモード状態を呈したときには、所定時間の間、特賞条件が成立する確率を例えば３倍（つまり３／１００）に高めて遊技客側にとって有利となる状態にするものである。なお、図２の符号２０は、このパチンコゲーム機１０の状態を表示する表示器であって、このパチンコゲーム機１０の過去の特賞履歴等を表示可能に構成される。
【００１３】
図１に戻って、複数列の遊技島台９におけるそれぞれのパチンコゲーム機１０は、ホストコンピュータ２１からなるデータ集計蓄積手段に接続される。それぞれのパチンコゲーム機１０には、このパチンコゲーム機１０が通常状態、ボーナス状態又は特賞状態のいずれかであることを判定する遊技状態判定手段が設けられる。この実施の形態における遊技状態判定手段は、各パチンコゲーム機１０毎に設けられて特賞用ルーレットを１６を制御する図示しないマイクロコンピュータである。そして、このパチンコゲーム機１０からは、パチンコゲーム機１０が通常状態、ボーナス状態又は特賞状態のいずれかの状態であることを示す状態信号と、遊技領域に打ち込まれたパチンコ球の数を示すアウト玉数信号と、入賞口１２ａ等への入賞に基づいて賞として払い出されるパチンコ球の数を示すセーフ玉数信号と、パチンコ球が始動口１７へ入賞したことを示すスタート信号等を出力する。これらの信号の全てはホストコンピュータ２１からなるデータ集計蓄積手段に入力される。
【００１４】
ここで、パチンコゲーム機１０ホストコンピュータ２１との関係を図３に示す。パチンコゲーム機１０には、遊技状態判定手段として機能するマイクロコンピュータ１０ｂとともに各種のデータを出力するための情報出力端子１０ａが設けられる。一方、データ集計蓄積手段であるホストコンピュータ２１は、情報入力端子２２やＣＰＵ２３、ＲＯＭ２４、ＲＡＭ２５、タイマ２６及びハードディスクや磁気テープからなる記憶装置２７等により構成される。このホストコンピュータ２１は、パチンコゲーム機１０から情報出力端子１０ａを通じて出力される前述の信号群（状態信号、スタート信号、アウト玉数信号、セーフ玉数信号）を情報入力端子２２を通じて入力できるように構成される。
【００１５】
データ集計蓄積手段であるホストコンピュータ２１には、そこに蓄積された複数の特賞データを出力するＣＲＴディスプレイ２９ａとプリンタ２９ｂが出力手段２９として接続される。また、ホストコンピュータ２１には、キーボード２８が操作手段として接続され、このキーボード２８からの操作信号に基づいて、ホストコンピュータ２１は、予め記憶したプログラムに基づいて、複数台のパチンコゲーム機１０についての以下（１）〜（７）に述べるような集計動作を行うと共に、その集計結果を、パチンコゲーム機１０の台番号に対応付けたデータとして、ＣＲＴディスプレイ２９ａやプリンタ２９ｂなどを含む出力手段２９を通じて出力可能に構成される。そして、ホストコンピュータ２１による集計動作は、パチンコゲーム機１０が通常状態、ボーナスモード状態及び特賞状態にある各期間毎に区分して行われるものであり、その区分は、パチンコゲーム機１０からの状態信号により、パチンコゲーム機１０が通常状態であるか、ボーナス状態であるか、或いは特賞状態であるかを判断して行われる。
【００１６】
（１）パチンコゲーム機１０から出力されたアウト玉数信号によって示されるアウト玉数、つまり打込パチンコ玉数を示すデータを、通常状態、ボーナスモード状態及び特賞状態毎にそれぞれ区分しながら累計する。
（２）パチンコゲーム機１０から出力されたセーフ玉数信号によって示されるセーフ玉数、つまり賞球として放出されたパチンコ玉の数を示すデータを、通常状態、ボーナスモード状態及び特賞状態毎にそれぞれ区分しながら累計する。
（３）上記（２）のように累計されるセーフ玉数と、上記（１）のように累計されるアウト玉数との差で表すことにできる差玉数を、通常状態、ボーナスモード状態及び特賞状態毎にそれぞれ区分しながら算出する。
【００１７】
（４）上記（１）及び（２）のように累計されるアウト玉数でセーフ玉数を除することにより求められる出玉率を、通常状態、ボーナスモード状態及び特賞状態毎にそれぞれ区分しながら算出する。
（５）パチンコゲーム機１０からのスタート入賞信号に基づいて、始動口１７への入賞数データを、通常状態、ボーナスモード状態及び特賞状態毎にそれぞれ区分しながら累計する。
（６）（５）により累計される入賞口１７への入賞数を（１）により累計されるアウト玉数で除することにより求められる入賞確率を、通常状態、ボーナスモード状態及び特賞状態毎にそれぞれ区分しながら累計する。
（７）パチンコゲーム機１０からの状態信号に基づいて、通常状態、ボーナスモード状態及び特賞状態の出現回数をそれぞれ累計する。
【００１８】
そして、ホストコンピュータ２１は、多数台のパチンコゲーム機１０についての上記（１）〜（７）のような各集計データを、出力手段２９を通じて例えば図４に示すようなフォーマットで出力するものである。但し、図４においては、パチンコゲーム機１０のモードとして、通常状態を「通常」、ボーナスモード状態を「ボーナス」、特賞状態を「特賞」と表記している。即ち、このホストコンピュータ２１はパチンコゲーム機１０における各種のデータを通常状態、ボーナスモード状態及び特賞状態毎に区分して集計して蓄積するように構成される。
【００１９】
そして、各パチンコゲーム機１０の釘調整のためのデータとして、データ集計蓄積手段であるホストコンピュータ２１は、蓄積されたデータをパチンコゲーム機１０毎に出力するすることもできるように構成される。ここで、台番号が１番のパチンコゲーム機に関する特定の状態の履歴に関するデータを図５に示す。この図５に示すデータは、台番号が１番のパチンコゲーム機１０について蓄積されたデータであって、１日に発生した特賞状態に関するデータを特賞状態毎に時系列順にまとめて表示した例を示す。この図５では、特賞状態が生じた時間とその終了時間、前の特賞状態の終わりからその特賞状態が生じるまでのアウト玉数、その特賞状態におけるアウト玉数とセーフ玉数、特賞状態が継続した時間、及びその特賞状態におけるアウト玉数とセーフ玉数との差からなる差玉数が特賞数として表示される例を示す。
【００２０】
そして、データ集計蓄積手段であるホストコンピュータ２１は、特賞状態毎に蓄積された特賞データをセーフ玉数又は差玉数である特賞数に基づいて編集可能に構成される。差玉数である特賞数に基づいて編集される場合で説明すると、データ集計蓄積手段であるホストコンピュータ２１は、その特賞数によって、複数の特賞データを２つ又は３つのグループに分けるような編集作業を行う。複数の特賞データを３つのグループに分ける場合であれば、複数の特賞データの編集は、特賞数が例えば１０００個である第１基準数以上の上位グループ、特賞数がその第１基準数より小さい例えば０個である第２基準数未満の下位グループ、又は特賞数が第１基準数未満であってかつ第２基準数以上の中位グループのいずれかに複数の特賞データをそれぞれ分類することにより行われ、図５におけるデータ表にはその分類されたグループが特賞数に並んで表示される例を示す。
【００２１】
また、データ集計蓄積手段であるホストコンピュータ２１は、上位グループ、下位グループ又は中位グループのいずれかに分類された複数の特賞データをグループ別に蓄積可能に構成される。そして、出力手段２９は上位グループ、下位グループ又は中位グループのいずれかに分類された複数の特賞データを、その状態で出力可能に構成される。複数の特賞データを上位グループ、下位グループ及び中位グループに分類して表示されたディスプレイ２９ａの画面を図６に示す。そして、プリンタ２９ｂはこの画面に表示された内容をそのまま印刷可能に構成される。このように特賞数に基づいて複数のグループに分類された特賞データが出力されると、賞球として放出されるパチンコ玉の数を特賞状態毎に変化させるように構成されたパチンコゲーム機１０であっても、そのパチンコゲーム機１０における特賞状態がセーフ玉数や特賞数により分類されて整理され、そのパチンコゲーム機１０に対する現実の出玉数に応じて的確に釘調整を行うことが可能になる。
【００２２】
なお、上述した実施の形態では、複数の特賞データを差玉数により表される特賞数に基づいて編集される場合を説明したが、複数の特賞データをセーフ玉数に基づいて編集するようにしても良い。
また、上述した実施の形態では、複数の特賞データを３つのグループに分類する場合を説明したが、分類されるグループはこの３つに限られず、複数であれば良い。
更に、上述した実施の形態では、第１基準数が１０００個であって、第２基準数が０個の場合を説明したが、この第１及び第２基準数は特賞状態におけるセーフ玉数や差玉数により任意に設定できる値であり、この数値に限定されるものではない。複数の特賞データを差玉数により３つのグループに分類する場合であれば、第１基準数は１０００個以上や１０００個未満であってもよく、第２基準数は０個以上や０個未満であっても良い。
【図面の簡単な説明】
【００２３】
【図１】本発明実施形態のデータ管路装置の構成を示す概念図である。
【図２】そのパチンコゲーム機の構成を示す図である。
【図３】そのデータ管路装置の構成を示すブロック図である。
【図４】その管理装置から出力される各パチンコゲーム機に関するデータの例を示す図である。
【図５】特定のパチンコゲーム機に関する複数の特賞状態の出力例を示す図である。
【図６】その特定のパチンコゲーム機に関する複数の特賞状態が編集して出力された例を示す図である。
【符号の説明】
【００２４】
１０  パチンコゲーム機
１０ｂ  遊技状態判定手段
２１  データ集計蓄積手段
２９  出力手段
【図１】
2007130271.tif 000003
【図２】
2007130271.tif 000004
【図３】
2007130271.tif 000005
【図４】
2007130271.tif 000006
【図５】
2007130271.tif 000007
【図６】
2007130271.tif 000008